(57)【要約】  本発明は、N個の着色剤を用いて画像を形成する、色記録媒体上に透かしパターンを記録する方法を提供し、この方法は、N個の着色剤よりも少ないが、少なくとも２つの着色剤を用いて透かしパターンを形成する工程を備える。【特許請求の範囲】
【請求項１】
N個の着色剤を用いて画像を形成する、色記録媒体上に透かしパターンを記録する方法であって、N個の着色剤よりも少ないが、少なくとも２つの着色剤を用いて前記透かしパターンを形成する工程を備えることを特徴とする方法。
【請求項２】
請求項１記載の、透かしパターンを記録する方法であって、前記透かしパターンを形成する工程が、前記色記録媒体上に露出エネルギを印加する工程を備えることを特徴とする方法。
【請求項３】
請求項１記載の、透かしパターンを記録する方法であって、前記透かしパターンを形成する工程が、前記色記録媒体上に着色剤を移すよう、ドナー媒体上に露出エネルギを印加する工程を備えることを特徴とする方法。
【請求項４】
請求項１記載の、透かしパターンを記録する方法であって、前記２つの着色剤が黄色及び深紅色であることを特徴とする方法。
【請求項５】
請求項１記載の、透かしパターンを記録する方法であって、前記透かしパターンを形成する工程が、前記色記録媒体を製造する工程として行われることを特徴とする方法。
【請求項６】
請求項１記載の、透かしパターンを記録する方法であって、前記色記録媒体が感光媒体であることを特徴とする方法。
【請求項７】
請求項１記載の、透かしパターンを記録する方法であって、前記色記録媒体が映画プリント・フィルムであることを特徴とする方法。
【請求項８】
請求項１記載の、透かしパターンを記録する方法であって、前記色記録媒体が映画ネガであることを特徴とする方法。
【請求項９】
請求項１記載の、透かしパターンを記録する方法であって、前記色記録媒体がマイクロフィルム媒体であることを特徴とする方法。
【請求項１０】
請求項１記載の、透かしパターンを記録する方法であって、前記色記録媒体が静止画像媒体であることを特徴とする方法。
【請求項１１】
請求項１記載の、透かしパターンを記録する方法であって、前記透かしパターンを形成する工程が、前記色記録媒体上に画像コンテンツを記録する工程とは別個に行われることを特徴とする方法。
【請求項１２】
請求項２記載の、透かしパターンを記録する方法であって、前記露出エネルギが光であることを特徴とする方法。
【請求項１３】
請求項２記載の、透かしパターンを記録する方法であって、前記露出エネルギが熱であることを特徴とする方法。
【請求項１４】
請求項１記載の、透かしパターンを記録する方法であって、前記透かしパターンを形成する工程が、前記色記録媒体上に画像コンテンツを記録する工程中に行われることを特徴とする方法。
【請求項１５】
感光性色記録媒体上に透かしパターンを記録する方法であって、前記透かしパターンを、青色に感光性を与えられる着色剤層及び緑色に感光性を与えられる着色剤層にのみ、赤色に感光性を与えられる着色剤層を露出させることなく露出させる工程を備えることを特徴とする方法。
【請求項１６】
少なくとも
第１の波長を有する放射エネルギに応答する第１着色剤生成成分と、
第２の波長を有する放射エネルギに応答する第２着色剤生成成分と、
第３の波長を有する放射エネルギに応答する第３着色剤生成成分とを有する感光性色記録媒体上に透かしパターンを記録する方法であって、
前記第１の波長を有する放射エネルギを印加し、
前記第２の波長を有する放射エネルギを印加し、
前記第３の波長を有する放射エネルギを印加しないことによって前記透かしパターンを露出させる工程を備えることを特徴とする方法。
【請求項１７】
少なくとも藍色着色剤生成成分と、深紅色着色剤生成成分と、黄色着色剤生成成分とを有する感光性色記録媒体上に透かしパターンを記録する方法であって、
前記透かしパターンを、前記色記録媒体の、前記深紅色着色剤生成成分及び前記黄色着色剤生成成分に露出させるが、前記藍色着色剤生成成分には露出させない工程を備えることを特徴とする方法。
【請求項１８】
請求項１７記載の、透かしパターンを記録する方法であって、前記露出させる工程が、前記色記録媒体を製造する工程として行われることを特徴とする方法。
【請求項１９】
請求項１７記載の、透かしパターンを記録する方法であって、前記露出させる工程が、前記色記録媒体を画像コンテンツに露出させる前に行われることを特徴とする方法。
【請求項２０】
請求項１７記載の、透かしパターンを記録する方法であって、前記露出させる工程が、前記色記録媒体を画像コンテンツに露出させた後に行われることを特徴とする方法。
【請求項２１】
請求項17記載の、透かしパターンを記録する方法であって、前記色記録媒体が映画ネガであることを特徴とする方法。
【請求項２２】
請求項17記載の、透かしパターンを記録する方法であって、前記色記録媒体が映画プリント・フィルムであることを特徴とする方法。
【請求項２３】
請求項17記載の、透かしパターンを記録する方法であって、前記色記録媒体がマイクロフィルム媒体であることを特徴とする方法。
【請求項２４】
請求項17記載の、透かしパターンを記録する方法であって、前記色記録媒体が静止画像媒体であることを特徴とする方法。
【請求項２５】
請求項１７記載の、透かしパターンを記録する方法であって、前記透かしパターンを露出させる工程がカメラ内で行われることを特徴とする方法。
【請求項２６】
請求項１７記載の、透かしパターンを記録する方法であって、前記着色剤生成成分がダイ形成層を備えることを特徴とする方法。
【請求項２７】
請求項１７記載の、透かしパターンを記録する方法であって、前記露出させる工程が、前記色記録媒体を画像コンテンツに露出させている間に行われることを特徴とする方法。
【請求項２８】
方法であって、黄色着色剤生成層及び深紅色着色剤生成層のみにおいて前記透かしパターンを露出させることによって色感光記録媒体上に透かしパターンを記録することを特徴とする方法。
【請求項２９】
色記録媒体であって、着色剤生成材料群を備え、前記色記録媒体の少なくとも一部分にわたって、透かしパターンが、前記着色剤生成材料群の適切な部分集合のみに施され、前記適切な部分集合は、少なくとも２つの着色剤生成材料を備えることを特徴とする色記録媒体。
【請求項３０】
請求項２９記載の色記録媒体であって、映画ネガであることを特徴とする色記録媒体。
【請求項３１】
請求項２９記載の色記録媒体であって、映画プリント・フィルムであることを特徴とする色記録媒体。
【請求項３２】
請求項２９記載の色記録媒体であって、マイクロフィルムであることを特徴とする色記録媒体。
【請求項３３】
請求項２９記載の色記録媒体であって、静止画像に用いるネガであることを特徴とする色記録媒体。
【請求項３４】
請求項２９記載の色記録媒体であって、感光媒体であることを特徴とする色記録媒体。
【請求項３５】
カラー映画フィルムであって、該カラー映画フィルムの少なくとも一部分にわたって、透かしパターンが、黄色ダイ生成層及び深紅色ダイ生成層のみに施されることを特徴とするカラー映画フィルム。
【請求項３６】
着色剤生成材料群を備える色記録媒体上に透かし露出エネルギを印加する露出機構を備える記録装置であって、
前記露出機構は、前記着色剤生成材料群の空でない適切な部分集合上に前記透かし露出エネルギを印加することを特徴とする記録装置。
【請求項３７】
請求項３６記載の記録装置であって、映画カメラであることを特徴とする記録装置。
【請求項３８】
請求項３６記載の記録装置であって、前記空でない適切な部分集合が、黄色ダイ生成層及び深紅色ダイ生成層を備えることを特徴とする記録装置。
【発明の詳細な説明】
【技術分野】
【０００１】
本発明は一般に、色記録媒体上に画像透かしを施す分野に関し、特に、映画フィルムなどの感光媒体において全部ではないが一部の着色剤層を用いて透かしパターンを記録する透かし手法に関する。
【背景技術】
【０００２】
画像の捕捉及び再生における技術的な進展の残念な結果として、著作権を侵害した、画像コンテンツの不正な複製及び頒布がある。不正な複製活動に対処する１つの解決策に、画像透かしをフォレンジック・ツールとして用いることがある。高度な透かし手法によって、画像内に符号化する対象の情報を識別することが可能になる。ディジタル透かしを画像において視聴者の可視性の閾値の下に、画像の走査及び解析の下で依然として検出可能に埋め込むことが可能である。ほんの数例としてではあるが、米国特許第6,239,818号明細書（Yoda）には、カラー・プリント内にパターンを埋め込み、埋め込まれたデータが、標準光源の下で視ると周囲の色に一致するように藍色、深紅色、黄色、黒色（CMYK）値を調節することが開示されている。本願の出願人に譲渡されている米国特許第5,752,152号明細書（Gasperら）には、著作権の対象である写真プリントにマーキングする、直径300um未満のマイクロドット・パターンが開示されている。
【０００３】
不正な複製は、失われた収入の顕著な源を表し、映画スタジオおよび映画配給会社にとって特に憂慮されている。動画像に透かしを入れることによって、不正な複製の源を追跡することが可能になり、よって、こうした活動に対する抑止力が備えられることになる。しかし、静止画像及び静止印画に透かしを入れる手法は、映画フィルム媒体によく適したものでない場合がある。印画の単一の画像内で容易に目に見えないことがあり得る符号化パターンは、画像フレーム系列で現れる場合、目に見えるようになり、不快になり得る。更に、動画像透かしは、投影機器を介した動画フレームのタイミングとは異なるタイミング系列で通常捕捉され、かつ、変動する画像分解能、照明及びフィルタリングを備えた複製（ビデオテープの複製など）から検出可能であることを要する。前述及び関連した理由で、動画像に透かしを入れることには、静止画像に通常施される手法以外の特別な手法群が必要である。
【０００４】
動画像に透かしを入れる手法はいくつか、従来技術の特許文献及び技術文献に記載されている。空間領域透かしを施す手法又は周波数領域透かしを施す手法が含まれる。何れの手法でも、多くの手法は、透かしの生成及び抽出の処理において疑似乱数雑音（ＰＮ）系列を利用する。ＰＮ系列は搬送波信号としての役目を担い、この搬送波信号が元のメッセージ・データによって変調され、それによって、画像内のいくつかの画素にわたって分布する分散メッセージ・データ（すなわち、透かし）が生じる。秘密鍵（「シード値」と呼ばれる）がＰＮ系列の生成に通常用いられ、透かし及び関連した元のメッセージ・データの抽出にはこの鍵を知っていることが必要である。
【０００５】
動画像コンテンツに透かしを入れる手法に対処する従来技術の特許には、「Watermarking  Method  and  Apparatus  for  Compressed  Digital  Video」と題する、Girodらによる西暦1998年9月15日付発行の米国特許第5,809,139号明細書、「Post-Compression  Hidden  Data  Transport  for  Video」と題する、Leeらによる西暦1999年5月4日付発行の米国特許第5,901,178号明細書、「Field-  Based  Watermark  Insertion  and  Detection」と題する、Coxらによる西暦1999年11月23日付発行の米国特許第5,991,426号明細書がある。しかし、これらの特許に開示された手法は、ディジタル・ビデオ・データ・ストリームにのみ施すことが可能であり、映画フィルムに直接施すことは可能でない。
【０００６】
「Video  Steganography」と題するRhoadsによる、西暦2000年2月１５日付発行の米国特許第6,026,193号明細書には、画像系列からの複数の透かしフレームを用いて、単一フレームのみで得られるよりも高い信頼度で透かしを抽出するという基本概念が開示されている。「Video  steganography  methods  avoiding  introduction  of  fixed  pattern  noise」と題する、Rhoadsによる米国特許第6,449,379号には、例えば、フレーム間でPN搬送波を変えることによる、この手法への改良が提案されている。
【０００７】
固定透かしパターンの欠点なしで透かしを施す別の手法は、3次元透かしパターンを用いることである。そうした手法の例は、「Robust,  content-dependent,  high-fidelity  watermark  for  tracking  in  digital  cinema,  Security  and  Watermarking  of  Multimedia  Contents  V,  Proc.  SPIE,  Vol.  5020,  Jan.  24,  2003」と題する、J.  Lubinらによる論文で見つけることが可能である。  この論文には、空間次元においても時間次元においても低周波コンテンツを含む透かしを連続した画像フレームに埋め込む手法が記載されている。Lubinらによって記載された上記手法は、比較的ロバストな時間分散透かしを提供することができる。しかし、この手法は、時間分散透かし手法の主たる制約（透かしの復元又は復号化のための時間同期の要求）を受ける。すなわち、参照フレームによって各画像フレームの索引付けを可能にする特定の手法を提供しなければならない。連続した画像フレームのサンプリングは、透かしを入れたフレームの同期化及び後の復号化を可能にするためにこの参照を含まなければならない。重要なことは、Lubinらによって記載された上記手法が、画像コンテンツを事前に知っていないと透かしを入れることが可能でないということである。よって、この手法は、フィルム製造業者による前露出手法として用いるのに適切でないことになる。
【０００８】
別々のいくつかの手法が、動画像に透かしを入れることに試行されたが、改良の余地があることが考えられる。特に、透かしパターンの露出を用いて透かしを入れた映画フィルム媒体の場合、透かしパターン自体のカラー情報に対してこれらの通常の手法への制約が存在する。このカラー情報に関し、従来の手法は、以下の問題のうち1つ又は複数のものを考慮に入れることができていない。
【０００９】
（１）別々の色に対する映画フィルム媒体固有の感度、
（２）フィルムのセンシトメトリー応答に対する透かし露出の影響、及び
（３）カムコーダを用いて不正に捕捉され、MPEGなどの圧縮手法を用いて後に配布される場合に生じ得る、色処理の歪み及び関連した歪み
カラー媒体に透かしを入れる手法の多くでは、透かしパターンは、３つのカラー・プレーン（RGBとして表す赤色、緑色及び青色）全てを用いて露出される。言い換えれば、透かしパターンは、感光媒体の場合、ダイ層などの３つの着色剤（藍色、深紅色、及び黄色（CMYとして表す））全ての上に露出される。この手法によって、不正な捕捉及び頒布の間に生じ得る種々の色歪みに対してかなりロバストな中性色を備えた透かしを提供することが可能である。しかし、3色透かしの露出は、多くの種類のカラーのフィルム及びプリントの媒体に適切に機能し得るが、映画プリント・フィルムに特有の問題が存在している。このクラスのフィルム・タイプでは、３つのRGBカラー・プレーンのそれぞれを供給するのに用いるそれぞれの感光乳剤は感度がかなり変動する。大半のタイプの映画プリント・フィルムの場合、緑色光及び青色光に感光性を与えられる、カラー・プリント用感光乳剤は、赤色光に感光性を与えられる乳剤よりも露出エネルギに対する感度が高い。この理由で、透かし露出を備えるのに用いる書き込み手法によって、必要な露出レベルを３つの感光乳剤全てについて達成するのは難しい場合がある。この問題は、映画プリント・フィルムの高速製造の場合、特に顕著である。
【００１０】
撮像の技術分野において周知のように、RGB原色（加法混色）は、その補色（減法色）である、藍色、深紅色、黄色の（CMYの）着色剤ダイ層上に撮像することによって形成される。赤色でない画像部分は、藍色ダイ層において撮像される。緑色でない画像部分は、深紅色ダイ層において撮像される。青色でない画像部分は、黄色ダイ層において撮像される。感度をlog10スケールでグラフ化した図１の色感度図を参照すれば、青及び緑のカラー・プレーンの、深紅色及び黄色の着色剤ダイ層の感度曲線は、露出エネルギに応じて、藍色（赤色に感光した）曲線に対して顕著な増加を示している。透かしを施す一部のタイプの手法の場合、より高い露出レベルが赤のカラー・プレーンに必要であることは欠点にならない。しかし、速度が重要な場合（例えば、フィルム製造中の透かしの前露出の場合など）、赤色層を生成する藍色ダイの感度が低いことによって、前露出処理が減速されるか、又は、赤色スペクトルにおいて高エネルギ露出源が必要になり得る。
【００１１】
別の問題は、透かしを施すことの、画像品質に対する影響に関する。色感光媒体上に通常の中性透かしパターンを露出させることによって、３つのRGBカラー・プレーンのそれぞれに全体密度が加えられる。この効果は、実際のシーン・コンテンツ露出に対する、フィルムのセンシトメトリー応答を変え、かつ、適切な補正が行われない限り、不必要な色シフト及びトーン・スケール歪みによって画像品質を適切でないものにしてしまうこともあり得る。
【００１２】
図４の密度対対数露出（D  log  E）グラフは、前露出透かしを備えた場合と前露出透かしなしの場合とでプリント・フィルムの１つの感光層のセンシトメトリー特性を比較している。曲線30aは、非露出フィルム層の通常のDlogE応答を示す。曲線30bは、透かしパターンがフィルム層上で前露出された場合のこうした応答を示す。第３の曲線30cは、透かし露出を補償するのに必要なセンシトメトリー調節を示す。この調節は、プリント・フィルムの特定のダイ層の乳液応答特性を変えることによって行われる。
【００１３】
前述の同時係属出願（「Method  and  Apparatus  for  Watermarking  Film」と題する、Roddyらによる米国特許出願公開第10/364,488号明細書及び「Method  of  Image  Compensation  For  Watermarked  Film」と題する、Zollaらによる米国特許出願公開第10/742,167号明細書）に開示されているように、この問題を補正するうえで好ましい手法は、透かし露出がなかったかのように画像コンテンツ露出に対する同じ実効応答を備えるために、図４の例に示すように、透かしの露出及び応答を補正する、感光乳剤の組成変更を行うことである。この手法を用いれば、透かしのパターンによって３つのカラー・プレーン全てを露出させることによって中性の透かしが生成される場合、３つの感光乳剤全ての組成を変更する必要がある。乳剤の組成変更は、入念なプロセス調節及び検査を必要とする難しいプロセスであり、これによって、製造プロセスにかなりの費用が付加される可能性がある。
【００１４】
他のタイプの色感光媒体に提案されている解決策の１つは、単一のカラー・プレーンにのみ透かしを施すことである。これは、例えば、米国特許第5,752,152号明細書（Gasperら）に開示されている手法（感光媒体にマークを入れるのに青色の露出のみを用いる）である。青色の露出によって、黄色の透かしパターン（他の色又は中性色を用いた透かしパターンよりも人間の観察者の目に見えにくいことが知られている）が生じる。しかし、この手法はその意図されたアプリケーションに対してうまく機能するが、そうした単一色透かしは、動画像の不正な捕捉及び配布の間に通常もたらされる、色処理及び撮像の歪みに対して特にロバストなものでない。カムコーダ自体は、後に説明するように、赤色、緑色、及び青色の検出エレメントの一様でない分布によって、特定のチャネルにおける色に対する感度が低いことが多い。更に、MPEGなどの圧縮手法は、人間の観察者に対する認識可能性が低いので、クロミナンス情報の少なくとも一部分を廃棄して輝度・クロミナンス色表現を用いる。別のカラー・プレーンが用いられても、この単一チャネル手法は満足な結果をもたらさない場合がある。単一色のみで符号化された透かしパターンの検出は、シーン・コンテンツによって難しいことがあり得る。その結果、単一色の透かしの露出は、不正に行われた複製内で永続しない場合があり、それによって、盗まれたコンテンツの追跡の目的では、透かしは役に立たなくなってしまう。
【００１５】
映画プリント・フィルムを特に参照すれば、赤のカラー・プレーンにおける透かし露出の別の問題は、フィルム上のオ―ディオ信号の符号化に関する。1本の映画プリント・フィルムは、画像コンテンツを提供するのみならず、付随するオーディオ・サウンド・トラック及び同期情報も提供する。図２を参照すれば、いくつかの符号化オーディオ・トラックを加えた連続した画像フレーム１２と、連続した画像フレーム１２間に配置されたフレーム間スペース１６とを有する、小さな35mm映画フィルム・セグメントを示す。アナログ・サウンド・トラック１８が、フレーム１２の側縁部とパーフォレーション１４との間にプリントされている。DTS（ディジタル劇場システム）サウンド・トラック２６が、フレーム１２とアナログ・サウンド・トラック１８との間に符号化されている。ドルビー・ディジタル・サウンド・トラック２２は、両側で繰り返される、パーフォレーション１４間に点在させた領域を用いている。別のディジタル・サウンド・トラック２４（通常は標準のSDDS（ソニー・ダイナミック・ディジタル・サウンド）トラックである）が、プリント・フィルム１０の縁部に沿って符号化されている。ディジタル・サウンド・トラック２２及び２４は、二重化されている（通常、ディジタル・サウンド・トラック２２’及び２４’によって示すようにプリント・フィルム１０の両側に存在している）。透かしを施すことを考慮に入れるために、アナログ・サウンド・トラック１８並びにディジタル・サウンド・トラック２２、２４及び２６が、フレーム１２が露出されるのと同様に、露光を用いてプリント・フィルム１０上に符号化されるということを確認することが重要である。この理由で、プリント・フィルム１０の画像品質における不完全性も何でも、オーディオ品質に影響を及ぼし得る。フィルム・グレイン、ダスト、表面の不完全性、及び他の画像異常は画像品質を劣化させるのみならず、オーディオ品質にも影響を有し得る。
【００１６】
真空管を用いた伝統的な検出回路の要件が理由で、初期のカラー映画フィルムの着色剤ダイ層は、オーディオ信号を正確に符号化するのに十分な密度を備えることができなかった。この状況を改善するために、アナログ・サウンド・トラック１８に沿ったメタリックシルバーの含有物がフィルム表面から取り去られないような特殊処理が用いられている。この特殊処理工程によって、アナログ・サウンド・トラック１８が、フィルム・ダイ単独で備えることができる密度よりも高い、IR放射に対する密度を有することが可能になる。初期の多数の投影装置に後付けされたアナログ検出回路に対する現代の更なる改良によって今日では、ダイのみのサウンド・トラックを用いることが可能になっている。これによって費用の節減がもたらされるが、それは、こうした投影機のアナログ・サウンド・トラック１８の領域にメタリックシルバー化合物を戻すという追加手順がもう必要ないからである。フィルム上にプリントされた高密度のシルバー担持アナログ・サウンド・トラック１８を読み取る代わりに、新たなソリッドステート検出回路は、赤色領域内の光の吸収を備える藍色ダイ層内のアナログ・サウンド符号を読み取る。しかし、このことは、赤色波長への感度の増加（オーディオ・トラック内の藍色ダイによって最も効果的に阻止される）があることを意味する。よって、赤色スペクトル領域内に密度を有する何れのタイプの透かし信号も、アナログ・サウンド・トラック１８の符号化オーディオ信号に対して不都合な影響を有し得る。
【００１７】
赤色含有物によるこの問題に関する更なる問題は、露出されていないフィルムの場合、フレーム並びにアナログ・サウンド・トラック１８及びDTSサウンド・トラック２６の所定の向きが存在しないということがある。フィルムが製造業者から発送されると、１つの向きがその逆の向きよりも可能性が高い場合がある。しかし、ネガとプリント・フィルムとの何れかは、露出される前に巻き戻される場合がある。したがって、プリント・フィルム１０が製造されると、ネガ・フィルム又はプリント・フィルム１０が実際に露出されることになる向きを判定することはできない。よって、例えば、35mmプリント・フィルムの場合、アナログ・サウンド・トラック１８及びDTSサウンド・トラック２６が、プリント・フィルム１０の一方の縁部に最も近いパーフォレーション１４の線に沿って延びているか、他方の縁部に最も近いパーフォレーション１４の線に沿って延びているかは製造時には確かでない。図２の平面図から分かるように、フレーム１２は、オーディオ・サウンド・トラック１８及びDTSサウンド・トラック２６を収容するために、幅Wに対して、センタリングされているというよりもプリント・フィルム１０の一方側に偏っている。
【００１８】
特に前露出に用いることが可能な実用的な透かし露出手法は、幅Wに対してフレーム１２の配置が確かでないという問題（ロバストであること、及び検出が単純であることに直接影響を及ぼす）と、アナログ・サウンド・トラック及びディジタル・サウンド・トラック（１８、２２、２４及び２６）の符号化の必要性の問題とに対処しなければならない。
【００１９】
一般に感光媒体の場合、透かし符号化を、プリントの時点で画像フレームにディジタル形式で加えることが可能であることが分かっている。しかし、現在、ディジタル・プリントは、通常の光学プリント手法よりもずっと遅い。よって、大量生産の環境では、映画プリント・フィルムに透かしを施すために全ディジタル露出システムを必要とすることは非実用的であることになる。
【００２０】
幸いに、感光媒体の処理中の別々の時点で透かしを露出させることが可能である。例えば、実施されており、「Pre-Exposure  of  Emulsion  Media  with  a  Steganographic  Pattern」と題する、Loweらによる米国特許出願公開第2003/0012569号明細書に記載されているように、単色潜像又は多色潜像を、製造時に「未処理の」感光媒体自体の上に露出させることが可能である。次いで、上記媒体を露出させて画像を形成すると、画像フレームが、透かしパターンに事実上オーバレイされる。そうした手法は、「Emulsion  Film  Media  Employing  Steganography」と題する、Rhoadsによる米国特許第6,438,231号明細書にも記載されている。Rhoadsによる’231特許には、例えば、ネガ・フィルムのフレーム領域内のフィルム乳剤上へのこのタイプの、透かしの前露出が開示されている。
【００２１】
透かしの前露出が、製造時に、又は画像コンテンツへの露出の前に映画フィルムにマークを入れるうえでの利点を有することになることを認識することが可能である。一本の映画フィルムには、隠れた状態で符号化された一意の識別情報（同じ一本のフィルムから作成された不正な複製のフォレンジック・トラッキングに用い得る）による前露出を行うことが可能である。
【発明の開示】
【発明が解決しようとする課題】
【００２２】
こうした考慮点を前提とすれば、通常の手法（全てのカラー・プレーンにおいてフィルム１０の一方縁部から他方縁部までの透かしパターンを単に施すなど）によって、満足のいかない結果（画像品質の低下、オーディオ品質の低下、コーティング乳剤の設計の複雑化、費用の増加、及び、必要なロバスト性を損なうこと）がもたらされ得る。同時に、映画フィルム媒体の透かしパターンは、カムコーダ装置を用いて作成された投影フィルムの複製における検出に十分なエネルギを有していなければならない。画像品質及びオーディオ品質に関する問題をもたらすことなく好適なロバスト性尺度を備え、最小の費用影響度を有する透かし符号化を提供するために、通常の手法に対する特定の改良が必要である。
【課題を解決するための手段】
【００２３】
本発明の目的は、映画フィルムの特性に特に適した、透かしの露出の方法を提供することである。この目的を念頭に、本発明は、N個の着色剤を用いて画像を形成する、色記録媒体上に透かしパターンを記録する方法を提供し、この方法は、N個の着色剤よりも少ないが、少なくとも２つの着色剤を用いて透かしパターンを形成する工程を備える。
【００２４】
本発明の一特徴は、着色剤を用いて色記録媒体上に画像を形成する処理に固有であるのみならず、電子記録手法を用いて前述のように形成される画像を検出する処理にも固有である不完全性の組み合わせを利用することである。
【００２５】
本発明の一利点は、映画フィルムのアナログ・サウンド・トラック部分に対して最小の影響を有する、透かしを施す手法を提供することである。
【００２６】
本発明の関連した利点は、オーディオ信号に対する露出の望ましくない影響を補正するための、フィルムのガードバンド又は一様に露出させた領域に対する必要性を、ダイのみの映画サウンド・トラックによってなくすことである。
【００２７】
本発明の別の利点は、画像コンテンツ露出とは無関係に露出された透かしパターンを形成する場合にプリント速度を最適化させる方法を提供することである。
【００２８】
本発明の更に別の利点は、感光媒体において３つのカラー・プレーン全てを用いる従来の透かし手法に対する、乳剤の再設計の必要性を軽減することである。
【００２９】
本発明の更に別の利点は、カムコーダ又は同様な装置を用いて行われる記録の各カラー・プレーンにおいて検出される透かしを、全てのカラー・プレーンではないが一部のカラー・プレーンのみを用いて提供することである。
【００３０】
本発明の前述並びにその他の目的、特徴及び利点は、本発明の例示的な実施例を示し、説明する添付図面とともに解釈される以下の詳細な説明の検討によって当業者に明らかになるであろう。
【発明を実施するための最良の形態】
【００３１】
本特許請求の範囲では、本発明の技術的内容を特に指摘し、特徴を記載しているが、本発明は、添付図面とともに以下の記載を解釈することによってより深く分かるであろう。
【実施例】
【００３２】
以下の記載は、本発明による装置の部分を構成するか、本発明による装置と直接協調する構成要素に特に関する。特に示していないか又は説明していない構成要素は当業者に周知の種々の形態をとり得る。
【００３３】
本発明の方法は、映画撮像に用い、符号化されたアナログ・サウンド・トラックを有する感光媒体に特によく適した透かし手法に関する。以下に表す詳細な説明は、好ましい実施例において、このタイプの媒体に本発明を適用することに焦点を当てている。しかし、本発明の方法は一般に、着色剤群を用いて画像を形成する何れかのタイプの色記録媒体を用いた実施例に適用することができる。本発明は、例えば、別々の波長での露出エネルギに応答してカラー画像（例えば静止画フィルムを含む）を形成する着色ダイ生成層によって塗布された他のタイプの感光媒体に適用することが可能である。より広範囲には、本発明は、他のタイプの、画像を形成する着色剤群を用いる色記録媒体（着色剤が塗布される媒体（インクジェット印刷に用いるサーマル・イメージング媒体や基板など）を含む）に適用することが可能である。
【００３４】
もう一度図２を参照すれば、アナログ・サウンド・トラック１８は、パーフォレーション１４とフレーム１２との間にあることが分かり得る。フレーム１２に対するアナログ・サウンド・トラック１８の位置は、映画プリント・フィルムの製造時に分からないものである。すなわち、図２の平面図に関し、アナログ・サウンド・トラック１８が、図２に示すように、フレーム１２の右側に位置するか、又は左側に位置するかを明確に判定することが可能でない。この不確実性を補正するために、前述の「Watermarking  Method  for  Motion  Picture  Image  Sequence」と題する、Jonesらによる、本願の出願人に譲渡されている米国特許出願公開第10/778,528号明細書に開示されているように、非符号化ガードバンドを中央の透かし帯の両側に配置することが可能である。この解決策はうまく機能する。しかし、画像フレーム１２の領域の一部分を符号化透かしなしの状態のままにしておくというリスクがある程度残っている。ダイのみのサウンド・トラックを用いた映画プリント・フィルムの場合、本発明の方法によって、オーディオ品質に対する目立った影響なしでアナログ・サウンド・トラック１８の領域内で施すことが可能な透かしを提供することによってガードバンドの必要性が取り除かれる。
【００３５】
図３の平面図に表すように、本発明の方法によって、感光媒体の感光カラー・プレーンの全部ではないが一部に透かしパターンが露出される。映画プリント・フィルムの好ましい実施例の場合、透かし符号化は、緑色に感光性を与えられるカラー・プレーン及び青色に感光性を与えられるカラー・プレーンにおいてのみ備えられる。これらのカラー・プレーンは、前述の背景部分において説明したように、深紅色ダイ生成層及び黄色ダイ生成層に相当する。透かしパターン（図３に表すようなタイリング・パターン２０）は、赤色に感光性を与えられるカラー・プレーン内に施されない、すなわち、藍色ダイ層内に施されない。この配置によって、アナログ・サウンド・トラック１８の検出要件に影響を及ぼすことなく、ロバストな透かしパターンが形成される。
【００３６】
青色に感光性を与えられるカラー・プレーン（すなわち、黄色ダイ生成層の、青色に感光性を与えられるカラー・プレーン）は、透かしを備えるうえで効果的であるが、それは、このカラー・プレーンにおけるマークの、視聴者に対する認識可能性が最も低いからである。（深紅色ダイ生成層を用いて備えられる）緑のカラー・プレーンにおいて作成されるマークは、認可されていない複製から最も容易に抽出されるという利点を有するが、それは、このカラー・プレーンが有する、カムコーダによって処理される輝度信号に対する影響が最も顕著であるからである。赤のカラー・プレーンにマークを入れることなく青のカラー・プレーン及び緑のカラー・プレーンにおいてのみ備えられる透かしは、抽出に十分なエネルギを備え、視聴者の閾値認識可能性レベル未満であり、映画の環境によく適しているということを実験的結果は明らかにした。更に、カラー・プリント・フィルムの３つのダイ層のうちの２つのみにおける透かし符号化の露出によって事実上、ビデオ・カメラを用いて作成される複製から得られる３つのカラー・プレーン全てにおいて実際に検出される検出可能な透かしが備えられるということを、予期しない結果として、実験的結果は明らかにしている。この予期しない効果を達成する主たる原理は以下に説明するように４つあると思われる。
1.  ダイ特性における不完全性
本発明の方法がこの結果をどのようにして実現するかが分かるために、まず、カラー映画プリント・フィルムから色が投影される処理を検討する。図５を参照すれば、色投影処理の概略図を示す。光源３２としての役割を果たす映写用電球が、現像されたプリント・フィルム３４のセグメントに向けて白色光を発する。現像されたプリント・フィルム３４は３成分着色剤（藍色ダイ層３６ｃ、深紅色ダイ層３６ｍ及び黄色ダイ層３６ｙ）を有する。光源３２からの白色光は、図５中でR、G及びBと印を入れた赤色、緑色及び青色のスペクトル成分を有する。任意の領域にわたって、現像されたプリント・フィルム３４を通って進む光の色は、その領域内のダイ・パッチ３８によってコンディショニングされる。図５は、光が種々の、ダイ・パッチ３８、及びダイ・パッチ３８の組み合わせを通って進む結果を示す。例えば、藍色ダイ・パッチ３８によって、ダイ・パッチ３８の相対密度に基づいて、赤色成分が阻止され、緑色光及び青色光の透過が可能になる。より正確に述べれば、一次近似で、藍色ダイ・パッチ３８は、赤色を変調し、かつ、変調なしで緑色及び青色を透過させる。表１は、個々のダイ・パッチ３８の理想的な特性を要約する。
【００３７】
【表１】
2007531401.tif 000002
図6aを参照すれば、表１中の情報に相当する、波長毎の、深紅色ダイ・パッチ３８の理想的な透過を示す。すなわち、深紅色ダイは理想的には、赤色光（580-700nmの公称波長）を100%透過させ、青色光（400-490nmの公称波長）を100%透過させる。緑色光（490-580nmの公称波長）の場合、深紅色ダイは、密度（通常の密度を図示している）に基づいて光を変調する。しかし、この場合も又、赤色光及び青色光を完全に（１００％）透過するということ、及び緑色光のみを変調するということは1次近似であるということを強調しておかなければならない。
【００３８】
実際には、約1.0の密度での深紅色ダイの実際の特性は、図6bの実際の透過曲線40mによって示すようにこの理想的な特性からかなり逸脱する。すなわち、透過度は赤色光及び青色光の場合は高いが、完全ではなく、むしろ１00%を幾分下回る。緑色光の変調も、図6aに示し、図6bの想像上の波形によって表すように完全でない。同様に、黄色ダイの実際の応答も完全でない。図７を参照すれば、密度1.0での黄色ダイの実際の透過曲線40yを示し、図７に想像線で同様に示すその理想的な特性と比較する。
【００３９】
よって、図6b及び図７が示すように、ダイの実際の特性は、表１及び図6aの一次近似で示す理想的な特性ではない。その代わりに、ダイの不完全性が理由で、一定の範囲の波長にわたって、光の漏れ、及び変調がかなり存在し得る。波長公差を狭くして乳剤を組成することが可能ではあるが、赤色光、緑色光及び青色光の完全な透過及び変調は実際には備えられない。要約すれば、深紅色及び黄色のダイ層36m及び36yにおけるダイ・パッチ３８のこの不完全な特性は、２つの着色剤ダイ層（好ましい実施例では深紅色及び黄色）のみで透かしパターンを露出させることによって赤、緑及び青の３つのカラー・プレーン全ての変調を可能にする要因の１つである。明らかに、この一要因は、それ自体によって、赤のカラー・プレーンの検出可能な変調を備えるのに十分でない場合がある。しかし、考慮に入れる要因が更に存在している。
2.  投影色と検出色との間のスペクトルの不一致
本発明の方法によって利用される第２の原理は、ビデオ・カメラ回路によって検出される色の特性、及び表示画面上に投影される色に対する、この回路のスペクトル応答における差に関する。次いで図８のグラフを参照すれば、ビデオ・カメラ・センサの通常のスペクトル応答を表す。図８には、ビデオ・カメラ内の色検出成分の相対応答を0以上100以下のスケール上に波長に対してプロットしている。ビデオ・カメラの色検出の実際のスペクトル範囲（ビデオ・カメラによって用いられるカラー・フィルタ・アレイ（CFA）の帯域通過特性によって主に影響が及ぼされる要因）は通常、投影されるカラー・フィルムのスペクトル範囲とは異なる。例えば、赤色チャネルのビデオ・カメラ検出成分のピーク感度は、赤色チャネルの最低波長端（通常約580-590nm）に最も近い。その場合、色に関して言えば、赤色チャネルにおけるカムコーダ感度は、赤橙色領域に対して幾分高くなる。しかし、図9a及び図9bに示すように、黄色ダイ層36yも深紅色ダイ層36mも（図５）、580-590nm領域における赤色波長を実際にある程度、減衰させる。この減衰は、赤橙色領域にわたる深紅色ダイの場合に特に顕著である。
【００４０】
表2a及び表2bは、ビデオ・カメラによって検出される信号に対する深紅色の着色剤ダイ層36m及び黄色の着色剤ダイ層36yの特性を示す。ダイ吸収及びビデオ・カメラ・スペクトル感度の理想的な特性を表2aの例に示す。すなわち、表2aは、（図6aの理論上のグラフにおいて示したような）完全な応答、及びビデオ・カメラのよく一致したスペクトル感度を呈している。
【００４１】
実際のダイ及び実際のビデオ・カメラを特徴付ける更に現実的な特性を表2bに要約する。深紅色のエントリが示すように、深紅色ダイ層３６ｍによる赤色チャネルの、意図されてないがかなりの変調が存在している。同様に、黄色ダイ層36yによる緑色チャネルの意図していない変調がある程度、存在している。
【００４２】
【表２ａ】
2007531401.tif 000003
【００４３】
【表２ｂ】
2007531401.tif 000004
ビデオ・カメラ・センサ内のCFAを特定のフィルム・ダイのスペクトル特性に厳密に一致させることが可能な場合にも、最も正確なキャリブレーションを無効にしがちなバッチ間の差が必然的に存在する。更に、映写用電球自体は、特に、電球の加齢や他の映写条件が理由で、赤色スペクトル成分、緑色スペクトル成分及び青色スペクトル成分の相対出力において変動し得る。
【００４４】
このスペクトルの不一致の要因は、深紅色ダイ層36m及び黄色ダイ層36yのみに透かしが施される場合に、赤色チャネルへのわずかな量のエネルギの漏れしか可能にしない場合がある一方、前述のダイの不完全性をこの要因に加えた付加的効果によって、ここで述べた他の要因に加えて、赤色チャネルへの特定量のエネルギの寄与が誤ってもたらされかねない。
3.  ビデオ・カメラ・センサの不完全性
図８に明確に示すように、赤色のスペクトル応答曲線42r、緑色のスペクトル応答曲線42g及び青色のスペクトル応答曲線42bは特定の波長でピークに達し、各色領域内で減衰し、隣接するスペクトル領域間である程度の重なりも可能にしている。この重なりは、実際に、深紅色ダイ層36mに印加される特定量のエネルギは赤色チャネルにおける影響を有することを意味する。ビデオ・カメラのスペクトル応答範囲におけるこの不完全性は事実上、赤色チャネルへの更なるエネルギの寄与を、特に、ダイの不完全性（上記１）及びスペクトル・ピーク差（上記２）との組み合わせでもたらす。
【００４５】
図9a及び図9bを次に参照すれば、スペクトル応答曲線42r、42g及び42bを、深紅色ダイ及び黄色ダイそれぞれの透過曲線40m及び40yに対してプロットしている。図9a及び図９ｂのグラフから容易に分かるように、はっきり認められるほどの特定の不完全性が相対応答において明らかに存在しているので、藍色ダイ層36cでなく、深紅色ダイ層36m及び黄色ダイ層36yのみに透かし符号化が備えられる場合にも、赤色チャネルに対するある程度の影響が必然的に存在する。
【００４６】
このスペクトル応答の不完全性の要因単独では、エネルギが、3色のチャネル全てにおける低レベルの透かし露出の検出に十分であることを可能にしない場合がある一方、上記第１の要因としてあげた着色剤ダイの不完全性と、上記第２の要因としてあげたピーク・センサ・スペクトル差と、スペクトル範囲の不完全性及び重なりとの付加的な効果によって必然的に、ある程度のエネルギの赤色チャネルへの漏れが生じる。これらの3つの要因が併せて付加されることによって、赤色チャネルにおける低レベル透かしの検出が可能になり得る。ここでは、藍色ダイ層36cにマークを入れるという試みは行われていない。しかし、以下に説明するように、なお考慮に入れる対象の少なくとも１つの別の更なる要因が存在している。
4.  ビデオ・カメラのカラー・フィルタの配置、及び圧縮
藍色ダイ層36cの変調なしで赤色チャネルにエネルギを加えるうえで主たる重要性を有する第４の要因は、ビデオ・カメラによる画像検出の特性、及び、このタイプの記録装置によって通常用いられる標準化された圧縮アルゴリズムに関する。
【００４７】
ビデオ・カメラのカラー・フィルタ・アレイ（CFA）は、カラー再生技術分野における当業者が精通している輝度・クロミナンスのパラダイムに基づいた色空間モデリングによって通常、配置される。この記載の目的で、輝度特性は、緑色チャネルとの相関が高い。実際に、ビデオ・カメラの通常の配置（CFA）は、緑色光の検出に対して重い重み付けがされるカラー・フィルタのマトリクスを用いる。図１０を次に参照すれば、通常用いられるカラー・フィルタ・アレイ４４の一部（画像記録の技術分野における当業者に知られている、なじみのあるバイエル・パターンによく似ている）を平面図表現として色毎に示す。カラー・フィルタ・アレイ４４では、赤色光又は青色光に用いる検出器成分の2倍、緑色検出器成分が存在している。
【００４８】
例として、標準的な輝度式は、以下のように重み付けが緑色チャネルに優先的に与えられることも示す。
【００４９】
Y=0.299R+0.587G+0.114B
ここで、Yは輝度を表す。
【００５０】
輝度信号は、画像が標準的なアルゴリズムを用いて圧縮される場合、最高の忠実度を備えて維持される。一方、クロミナンス情報の少なくとも一部分は、圧縮アルゴリズムによってサブサンプリングされ、廃棄される。次いで、表示するために完全なRGB色信号を再生するために、クロミナンス情報の補間が、この輝度・クロミナンスの表現をRGB表現に変換する変換に必要である。
【００５１】
カラー・モデリング手法及び変換手法の技術分野の当業者に周知であるように、何れかのタイプの、色モデル間の変換、及び色空間内の補間は、ある程度の妥協を必要とし、特定量のチャネル・クロストークをもたらす。したがって、この色処理における不完全性の結果、深紅色ダイ層３６ｍ及び黄色ダイ層３６ｙのみに透かし符号化が施される場合にも、ある程度の少量のエネルギが、赤色チャネルに付加される可能性が高い。
【００５２】
上記４つの要因の何れかを単独でとれば、深紅色ダイ層36m及び黄色ダイ層36yのみに透かしが施されても、測定可能であるほど十分なエネルギを赤色チャネルに付加しない場合がある。しかし、これらの４つの要因の付加的な効果は、透かし符号化が藍色層36cに施されない場合も、赤色チャネル、緑色チャネル及び青色チャネルの３つ全てにおいて透かしの検出を可能にするのに十分なクロストークを色チャネル間に備えることができることが明らかにされた。
【００５３】
よって、感光ダイ応答特性における固有の不完全性と、投影画像のスペクトル範囲及びピークとビデオ・カメラ構成部分とにおける差と、ビデオ・カメラ検出の不完全性と、色圧縮手法と、色モデリングの差との付加的な効果として、透かしを赤、緑及び青の３つのカラー・チャネル全てから、実際に、２つの着色剤層（好ましくは、深紅色ダイ層36m及び黄色ダイ層36y）のみがそのように符号化されている場合に抽出することが可能であるという思いがけない結果がもたらされる。このようにして、本発明の方法は、フィルム記録処理並びにビデオ・カメラの捕捉及び記録の処理における累積の不完全性及び公差許容を利用して、ダイ着色剤層の適切な部分集合（すなわち、完全な集合より少ない）を用いて効果的な透かし手法を提供する。
【００５４】
本発明の方法の一利点は、透かしを受け入れるよう、感光媒体の応答特性を適合させる必要性に関する。もう一度図４のDlogEのグラフを参照すれば、好適な色忠実度を維持するために、ダイ生成層の感光乳液を組成変更して透かしパターンの密度の増加を補正する必要があることが分かり得る。曲線30cは、組成変更によって達成される効果を示す。本発明の方法は、２つのダイ生成層のみを用いるので、これらの層のみについて組成変更が必要である。影響を受けていない、赤色感応層（すなわち、藍色ダイ層36cの赤色感応層）のセンシトメトリー特性は修正しなくてよい。
【００５５】
より広い意味では、本発明の方法は、前述のように、静止画像に用いるものなどの他のタイプの感光媒体に適用することが可能である。しかし、静止画像で、オーディオ・サウンド・トラックに干渉する懸念が存在しない場合、視聴者による認識可能性の考慮点が理由で、カラー・プレーンの別の適切な部分集合（例えば、赤色や青色など）において透かしを施すことがより望ましい場合がある。すなわち、本発明の方法を実施する者は、色記録媒体及びその用途のタイプに応じて、例えば、藍色着色剤層及び黄色着色剤層にのみマークを入れて、透かしを施す別の適切なカラー・プレーン部分集合を指定するようにしてもよい。なお、利用可能な着色剤の完全な集合が用いられないので、選ばれる部分集合は、少なくとも２つの成分の着色剤を有する、空でない適切な部分集合（少なくとも一要素を有するが、集合全体でない部分集合）であることを強調しておかなければならない。
【００５６】
この方法は、4つ以上のカラー・プレーンを有する感光媒体に広く適用することが可能である。例えば、第４の可視ダイ層が感光媒体内で用いられる場合、2つ又は３つのダイ層のみに透かしを施して同様の効果を達成することが効果的であり得る。
【００５７】
前述の実施例は、ダイ着色剤層を用いる感光記録媒体にマークを入れることに関するが、本発明の方法はより広く、着色剤群を用いて色画像を備える何れかのクラスの色記録媒体に適用することが可能である。例えば、本発明の方法は、ダイ以外の着色剤（例えば、インクや顔料など）に施すことが可能である。成分着色剤群は、色記録媒体内に含めてよく（フィルムなど）、又は記録媒体上に塗布してもよい（ドナー基板若しくは中間基板から、又はインクジェット・ノズルからなど）。用いられる着色剤群は、藍色、深紅色及び黄色以外であり得る。本発明の方法は、印加露出エネルギが可視光又は非可視光である場合にも適用することが可能であり、例えば、熱エネルギ又は電磁気エネルギが画像コンテンツを露出させる役目を担う場合にも用いることが可能である。
【００５８】
そこで、一般に、合計N個の成分着色剤材料を有する色記録媒体の場合、本発明の方法は、透かし符号化を2個以上（N-１）個以下の着色剤材料に施す。指定される着色剤材料は、本願で前述した、隣接色チャネルの減衰、及び組み合わせ効果についての情報を用いて、その応答特性に基づいて選ばれることになる。
【００５９】
フィルム製造業者は、発送するよう感光媒体を包装する前に、前露出手法として本発明の透かし方法を施すことが可能である。しかし、前露出はあるいは、ネガ・フィルムが露出される前にスタジオによって、又はプリント・フィルムをプリントする前に現像所によって行うことが可能である。実際に、本発明の方法は、前露出に制限されなくてよい。例えば、透かしパターンを、フレームの画像コンテンツへの露出中に、又はフレームの画像コンテンツへの露出後にもプリント・フィルム上に露出させることが可能である。
【００６０】
本発明の方法は、画像処理連鎖におけるいくつかの点の何れかで、いくつかのタイプの記録媒体の何れかによって行うことが可能である。例えば、透かしパターンの一部は、カメラ自体で露出させることが可能である。この目的で、図１１に示すように、映画カメラ５０に、フィルム撮影中に特定のカラー・プレーンにおいてネガ・フィルム５２に透かしパターンを符号化するための露出機構５４を備えることも可能である。ここで、露出機構５４は、画像露出前又は画像露出後にネガ・フィルム５２にマークを入れるよう、ＬＥＤアレイ、ＬＣＤ空間光変調器、又は他の画像形成構成部分を用いることができる。画像が露出されるのと同時に透かしパターンを露出させるために、特定のタイプのビームスプリッタ表面が露出光の経路において必要になる。この場合も又、本発明の何れの実施例でも、符号化に用いる、着色剤層の空でない適切な部分集合は、媒体とその塗布のタイプに基づいていなければならない。
【００６１】
本発明は、その特定の好ましい実施例を特に参照して詳細に説明したが、変形及び修正を本発明の趣旨及び範囲内で行うことが可能であることが理解されるであろう。例えば、本発明の方法を、透かしパターンを映画コンテンツに施す何れかの数の従来技術の手法とともに用いることが可能である。透かしパターン、符号化メッセージ、又はメッセージ搬送波は、当業者に知られている手法を用いて1本の映画フィルムにわたって変えることが可能である。透かしを施す技術分野における当業者が精通しているようにタイリングを用いることが可能である。
【００６２】
本発明の解決策によって、一定範囲の媒体タイプ（映画媒体、並びに他のタイプの、静止画フィルム、及び静止画像の印画紙を含む）によく適した、透かしの配置を得ることが可能である。本発明による透かしを、前露出マーキングとして、又は、画像コンテンツへの露出中若しくは露出後に施すことが可能である。よって、利用可能なカラー・プレーンの、空でない適切な部分集合のみの上にパターンを記録することによって、映画フィルムなどの色記録媒体上に透かしパターンをマーキングする方法を提供する。
構成部分のリスト
１０  プリント・フィルム
１２  画像フレーム
１４  パーフォレーション
１６  フレーム間スペース
１８  アナログ・サウンド・トラック
２０  透かしタイル
２２、２２’  ディジタル・サウンド・トラック
２４  ２４’  ディジタル・サウンド・トラック
２６  DTS（ディジタル劇場システム）サウンド・トラック
３０a、３０b、３０c  曲線
３２  光源
３４  現像されたプリント・フィルム
３６c、３６m、３６y  藍色ダイ層  深紅色ダイ層  黄色ダイ層
38  ダイ・パッチ
４０m、４０y  透過曲線（深紅色）  透過曲線（黄色）
４２r  ４２g  ４２b  スペクトル応答曲線（赤色）  スペクトル応答曲線（緑色）  スペクトル応答曲線（青色）
４４  カラー・フィルタ・アレイ
５０  映画カメラ
５２  ネガ・フィルム
５４  露出機構
B  青色
G  緑色
L  長さ
R  緑色
W  幅  
【図面の簡単な説明】
【００６３】
【図１】通常の感光性カラー媒体の３つのカラー・プレーンの相対感度を示すグラフである。
【図２】映画プリント・フィルム上の露出領域の通常の配置を示す従来技術の平面図である。
【図３】カラー映画フィルムの２つのカラー・プレーンのみの露出を示す平面図である。
【図４】感光層の密度対露出の、透かしを備えた感光性カラー媒体における関係、及び透かしを備えていない感光性カラー媒体における関係を示すグラフである。
【図５】投影光からカラー画像をフィルム層がどのようにして備えるかを示す概略図である。
【図６ａ】通常の映画プリント・フィルムにおける深紅色ダイの理想的な透過応答特性を示すグラフである。
【図６ｂ】通常の映画プリント・フィルムにおける深紅色ダイの実際の透過応答特性を示すグラフである。
【図７】通常の映画プリント・フィルムにおける黄色ダイの理想的な透過応答特性及び実際の透過応答特性を示すグラフである。
【図８】投影された映画フィルムから不正な記録を得るのに用い得る通常のビデオ・カムコーダのスペクトル応答特性を示すグラフである。
【図９ａ】通常のビデオ・カムコーダのスペクトル応答特性を黄色ダイの透過特性に関係付けたグラフである。
【図９ｂ】通常のビデオ・カムコーダのスペクトル応答特性を深紅色ダイの透過特性に関係付けたグラフである。
【図１０】ビデオ・カメラ内のセンサのカラー・フィルタの通常の配置を示す平面図である。
【図１１】本発明による、ネガ・フィルム上に透かしを備えるよう装備された映画カメラを示す概略図である。
【図１】
2007531401.tif 000005
【図２】
2007531401.tif 000006
【図３】
2007531401.tif 000007
【図４】
2007531401.tif 000008
【図５】
2007531401.tif 000009
【図６ａ】
2007531401.tif 000010
【図６ｂ】
2007531401.tif 000011
【図７】
2007531401.tif 000012
【図８】
2007531401.tif 000013
【図９ａ】
2007531401.tif 000014
【図９ｂ】
2007531401.tif 000015
【図１０】
2007531401.tif 000016
【図１１】
2007531401.tif 000017
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
N個の着色剤を用いて画像を色記録媒体上に形成する、色記録媒体上に透かしパターンを記録する方法であって、少なくとも２つであり、N個未満の着色剤を用いて前記透かしパターンを前記透かしパターンの各空間位置に形成する工程を備え、Nが３以上であることを特徴とする方法。
【請求項２】
感光性色記録媒体上に透かしパターンを記録する方法であって、前記透かしパターンを、青色に感光性を与えられる着色剤層及び緑色に感光性を与えられる着色剤層にのみ、赤色に感光性を与えられる着色剤層を露出させることなく露出させる工程を備えることを特徴とする方法。
【請求項３】
少なくとも
第１の波長を有する放射エネルギに応答する第１着色剤生成成分と、
第２の波長を有する放射エネルギに応答する第２着色剤生成成分と、
第３の波長を有する放射エネルギに応答する第３着色剤生成成分とを有する感光性色記録媒体上に透かしパターンを記録する方法であって、
前記第１の波長を有する放射エネルギを印加し、
前記第２の波長を有する放射エネルギを印加し、
前記第３の波長を有する放射エネルギを印加しないことによって前記透かしパターンを露出させる工程を備えることを特徴とする方法。
【国際調査報告】
2007531401.tif 000018
2007531401.tif 000019